(57)【要約】【課題】放電電圧を低下させつつ，発光効率を向上させることが可能なプラズマディスプレイパネルを提供すること。【解決手段】所定の間隔で互いに対向配置される下部基板１１０および上部基板１２０と，下部基板と上部基板との間に形成された放電空間を区画して複数の放電セル１３０を形成する複数の隔壁１３５と，下部基板に形成された複数のアドレス電極１１１と，アドレス電極を覆うように形成された第１誘電体層１１２と，放電セルの内壁に形成された蛍光体層１１５と，上部基板に，放電セルごとに対となって形成された第１維持電極１２１ａおよび第２維持電極１２１ｂと，抵抗性物質からなり，上部基板に，第１維持電極および第２維持電極にそれぞれ対応して形成され，第１維持電極および第２維持電極に電圧が印加されることによって電圧が誘導される第１補助電極１２２ａおよび第２補助電極１２２ｂと，を備えたプラズマディスプレイパネルが提供される。【選択図】図３Ｂ
2006134887.tif 000002
【特許請求の範囲】
【請求項１】
所定の間隔で互いに対向配置される下部基板および上部基板と；
前記下部基板と前記上部基板との間に設けられ，前記下部基板と前記上部基板との間に形成された放電空間を区画して複数の放電セルを形成する複数の隔壁と；
前記下部基板に形成された複数のアドレス電極と；
前記アドレス電極を覆うように形成された第１誘電体層と；
前記放電セルの内壁に形成された蛍光体層と；
前記上部基板に，前記放電セルごとに一対となって形成された第１維持電極および第２維持電極と；
前記上部基板に，前記第１維持電極および前記第２維持電極にそれぞれ対応して形成され，前記第１維持電極および前記第２維持電極に電圧が印加されることによって電圧が誘導される第１補助電極および第２補助電極と；
を備え，
前記第１補助電極および前記第２補助電極は，抵抗性物質からなることを特徴とする，プラズマディスプレイパネル。
【請求項２】
前記第１補助電極および前記第２補助電極は，前記第１維持電極および前記第２維持電極の上部に形成されたことを特徴とする，請求項１に記載のプラズマディスプレイパネル。
【請求項３】
前記第１補助電極と前記第２補助電極との間隔は，前記第１維持電極と前記第２維持電極との間隔より狭いことを特徴とする，請求項１または２に記載のプラズマディスプレイパネル。
【請求項４】
前記第１補助電極および前記第２補助電極と前記第１維持電極および前記第２維持電極との間には，第２誘電体層が形成され，
前記第２誘電体層上には，前記第１維持電極および前記第２維持電極を覆うように第３誘電体層が形成され，
前記第３誘電体層の表面には，保護膜が形成されたことを特徴とする，請求項１〜３のいずれかに記載のプラズマディスプレイパネル。
【請求項５】
前記第１補助電極と前記第２補助電極との間に位置する前記第２誘電体層および前記第３誘電体層には，トレンチが形成されたことを特徴とする，請求項４に記載のプラズマディスプレイパネル。
【請求項６】
前記第１補助電極および前記第２補助電極は，透明な抵抗性物質からなることを特徴とする，請求項１〜５のいずれかに記載のプラズマディスプレイパネル。
【請求項７】
前記第１補助電極および前記第２補助電極は，ＩＴＯまたはＳｎＯ２からなることを特徴とする，請求項１〜６のいずれかに記載のプラズマディスプレイパネル。
【請求項８】
所定の間隔で互いに対向配置される下部基板および上部基板と；
前記下部基板と前記上部基板との間に設けられ，前記下部基板と前記上部基板との間に形成された放電空間を区画して複数の放電セルを形成する複数の隔壁と；
前記下部基板と前記上部基板のうちいずれか一つの基板に形成された複数のアドレス電極と；
前記アドレス電極を覆うように形成された第１誘電体層と；
前記放電セルの内壁に形成された蛍光体層と；
前記下部基板に，前記放電セルごとに一対となって形成された第１維持電極および第２維持電極と；
前記下部基板に，前記第１維持電極および前記第２維持電極にそれぞれ対応して形成され，前記第１維持電極および前記第２維持電極に電圧が印加されることによって電圧が誘導される第１補助電極および第２補助電極と；
を備え，
前記第１補助電極および前記第２補助電極は，抵抗性物質からなることを特徴とする，プラズマディスプレイパネル。
【請求項９】
前記第１補助電極および前記第２補助電極は，前記第１維持電極および前記第２維持電極の下部に形成されたことを特徴とする，請求項８に記載のプラズマディスプレイパネル。
【請求項１０】
前記第１補助電極と前記第２補助電極との間隔は，前記第１維持電極と前記第２維持電極との間隔より狭いことを特徴とする，請求項８または９に記載のプラズマディスプレイパネル。
【請求項１１】
前記第１補助電極および前記第２補助電極と前記第１維持電極および前記第２維持電極との間には，第２誘電体層が形成され，
前記第２誘電体層上には，前記第１維持電極および前記第２維持電極を覆うように第３誘電体層が形成され，
前記第３誘電体層の表面には，保護膜が形成されたことを特徴とする，請求項８〜１０のいずれかに記載のプラズマディスプレイパネル。
【請求項１２】
前記第１補助電極と前記第２補助電極との間に位置する前記第２誘電体層および前記第３誘電体層には，トレンチが形成されたことを特徴とする，請求項１１に記載のプラズマディスプレイパネル。
【請求項１３】
所定の間隔で互いに対向配置される下部基板および上部基板と；
前記下部基板と前記上部基板との間に設けられ，前記下部基板と前記上部基板との間に形成された放電空間を区画して複数の放電セルを形成する複数の隔壁と；
前記下部基板に形成された複数のアドレス電極と；
前記アドレス電極を覆うように形成された第１誘電体層と；
前記放電セルの内壁に形成された蛍光体層と；
前記上部基板に，前記放電セルごとに一対となって形成された第１維持電極および第２維持電極と；
前記上部基板に前記第１維持電極に対応して形成され，前記第１維持電極に電圧が印加されることによって電圧が誘導される補助電極と；
を備えることを特徴とする，プラズマディスプレイパネル。
【請求項１４】
前記第１維持電極は表示電極であり，前記第２維持電極は走査電極であることを特徴とする，請求項１３に記載のプラズマディスプレイパネル。
【請求項１５】
前記補助電極は，前記第１維持電極の上部に形成されたことを特徴とする，請求項１３または１４に記載のプラズマディスプレイパネル。
【請求項１６】
前記補助電極と前記第２維持電極との間隔は，前記第１維持電極と前記第２維持電極との間隔より狭いことを特徴とする，請求項１３〜１５のいずれかに記載のプラズマディスプレイパネル。
【請求項１７】
前記補助電極と前記第１維持電極および前記第２維持電極との間には，第２誘電体層が形成され，
前記第２誘電体層上には，前記第１維持電極および前記第２維持電極を覆うように第３誘電体層が形成され，
前記第３誘電体層の表面には，保護膜が形成されたことを特徴とする，請求項１３〜１６のいずれかに記載のプラズマディスプレイパネル。
【請求項１８】
前記補助電極と前記第２維持電極との間に位置する前記第２誘電体層および前記第３誘電体層には，トレンチが形成されたことを特徴とする，請求項１７に記載のプラズマディスプレイパネル。
【請求項１９】
前記補助電極は，抵抗性物質または金属からなることを特徴とする，請求項１３〜１８のいずれかに記載のプラズマディスプレイパネル。
【請求項２０】
前記補助電極は，透明な抵抗性物質からなることを特徴とする，請求項１３〜１９のいずれかに記載のプラズマディスプレイパネル。
【請求項２１】
所定の間隔で互いに対向配置される下部基板および上部基板と；
前記下部基板と前記上部基板との間に設けられ，前記下部基板と前記上部基板との間に形成された放電空間を区画して複数の放電セルを形成する複数の隔壁と；
前記下部基板と前記上部基板のうちいずれか一つの基板に形成された複数のアドレス電極と；
前記アドレス電極を覆うように形成された第１誘電体層と；
前記放電セルの内壁に形成された蛍光体層と；
前記下部基板に，前記放電セルごとに一対となって形成された第１維持電極および第２維持電極と；
前記下部基板に前記第１維持電極に対応して形成され，前記第１維持電極に電圧が印加されることによって電圧が誘導される補助電極と；
を備えることを特徴とする，プラズマディスプレイパネル。
【請求項２２】
前記第１維持電極は表示電極であり，前記第２維持電極は走査電極であることを特徴とする，請求項２１に記載のプラズマディスプレイパネル。
【請求項２３】
前記補助電極は，前記第１維持電極の下部に形成されたことを特徴とする，請求項２１または２２のいずれかに記載のプラズマディスプレイパネル。
【請求項２４】
前記補助電極と前記第２維持電極との間隔は，前記第１維持電極と前記第２維持電極との間隔より狭いことを特徴とする，請求項２１〜２３のいずれかに記載のプラズマディスプレイパネル。
【請求項２５】
前記補助電極と前記第１維持電極および前記第２維持電極との間には，第２誘電体層が形成され，
前記第２誘電体層上には，前記第１維持電極および前記第２維持電極を覆うように第３誘電体層が形成され，
前記第３誘電体層の表面には，保護膜が形成されたことを特徴とする，請求項２１〜２４のいずれかに記載のプラズマディスプレイパネル。
【請求項２６】
前記補助電極と前記第２維持電極との間に位置する前記第２誘電体層および前記第３誘電体層には，トレンチが形成されたことを特徴とする，請求項２５に記載のプラズマディスプレイパネル。
【請求項２７】
前記補助電極は，抵抗性物質または金属からなることを特徴とする，請求項２１〜２６のいずれかに記載のプラズマディスプレイパネル。
【請求項２８】
所定の間隔で互いに対向配置される下部基板および上部基板と；
前記下部基板と前記上部基板との間に設けられ，前記下部基板と前記上部基板との間に形成された放電空間を区画して複数の放電セルを形成する複数の隔壁と；
前記下部基板に形成された複数のアドレス電極と；
前記アドレス電極を覆うように形成された第１誘電体層と；
前記放電セルの内壁に形成された蛍光体層と；
前記上部基板に，前記放電セルごとに一対となって形成された第１維持電極および第２維持電極と；
前記上部基板に，前記第１維持電極および前記第２維持電極にそれぞれ対応して形成され，前記第１維持電極および前記第２維持電極に電圧が印加されることによって電圧が誘導される第１補助電極および第２補助電極と；
前記下部基板と前記上部基板との間に，前記放電セルごとに互いに対向して一対となって形成され，前記第１補助電極および前記第２補助電極にそれぞれ電気的に連結された第３補助電極および第４補助電極と；
を備えることを特徴とする，プラズマディスプレイパネル。
【請求項２９】
前記第１補助電極および前記第２補助電極は，前記第１維持電極および前記第２維持電極の上部に形成されたことを特徴とする，請求項２８に記載のプラズマディスプレイパネル。
【請求項３０】
前記第１補助電極と前記第２補助電極との間隔は，前記第１維持電極と前記第２維持電極との間隔より狭いことを特徴とする，請求項２８または２９に記載のプラズマディスプレイパネル。
【請求項３１】
前記第１補助電極および前記第２補助電極と前記第１維持電極および前記第２維持電極との間には，第２誘電体層が形成され，
前記第２誘電体層上には，前記第１維持電極および前記第２維持電極を覆うように第３誘電体層が形成され，
前記第３誘電体層の表面には，保護膜が形成されたことを特徴とする，請求項２８〜３０のいずれかに記載のプラズマディスプレイパネル。
【請求項３２】
前記第３補助電極および前記第４補助電極の表面には，第４誘電体層が形成され，
前記第４誘電体層の表面には，前記保護膜が形成されたことを特徴とする，請求項３１に記載のプラズマディスプレイパネル。
【請求項３３】
前記第１補助電極と前記第２補助電極との間に位置する前記第２誘電体層および前記第３誘電体層には，トレンチが形成されたことを特徴とする，請求項３１または３２に記載のプラズマディスプレイパネル。
【請求項３４】
前記第１補助電極および前記第２補助電極は，抵抗性物質または金属からなることを特徴とする，請求項２８〜３３のいずれかに記載のプラズマディスプレイパネル。
【請求項３５】
前記第１補助電極および前記第２補助電極は，透明な抵抗性物質からなることを特徴とする，請求項２８〜３４のいずれかに記載のプラズマディスプレイパネル。
【請求項３６】
所定の間隔で互いに対向配置される下部基板および上部基板と；
前記下部基板と前記上部基板との間に設けられ，前記下部基板と前記上部基板との間に形成された放電空間を区画して複数の放電セルを形成する複数の隔壁と；
前記下部基板と前記上部基板のうちいずれか一つの基板に形成された複数のアドレス電極と；
前記アドレス電極を覆うように形成された第１誘電体層と；
前記放電セルの内壁に形成された蛍光体層と；
前記下部基板に，前記放電セルごとに一対となって形成された第１維持電極および第２維持電極と；
前記下部基板に前記第１維持電極および前記第２維持電極にそれぞれ対応して形成され，前記第１維持電極および前記第２維持電極に電圧が印加されることによって電圧が誘導される第１補助電極および第２補助電極と；
前記下部基板と前記上部基板との間に，前記放電セルごとに互いに対向して一対となって形成され，前記第１補助電極および前記第２補助電極にそれぞれ電気的に連結された第３補助電極および第４補助電極と；
を備えることを特徴とする，プラズマディスプレイパネル。
【請求項３７】
前記第１補助電極および前記第２補助電極は，前記第１維持電極および前記第２維持電極の下部に形成されたことを特徴とする，請求項３６に記載のプラズマディスプレイパネル。
【請求項３８】
前記第１補助電極と前記第２補助電極との間隔は，前記第１維持電極と前記第２維持電極との間隔より狭いことを特徴とする，請求項３６または３７に記載のプラズマディスプレイパネル。
【請求項３９】
前記第１補助電極および前記第２補助電極と前記第１維持電極および前記第２維持電極との間には，第２誘電体層が形成され，
前記第２誘電体層上には，前記第１維持電極および前記第２維持電極を覆うように第３誘電体層が形成され，
前記第３誘電体層の表面には，保護膜が形成されたことを特徴とする，請求項３６〜３８のいずれかに記載のプラズマディスプレイパネル。
【請求項４０】
前記第３補助電極および前記第４補助電極の表面には，第４誘電体層が形成され，
前記第４誘電体層の表面には，前記保護膜が形成されたことを特徴とする，請求項３９に記載のプラズマディスプレイパネル。
【請求項４１】
前記第１補助電極と前記第２補助電極との間に位置する前記第２誘電体層および前記第３誘電体層には，トレンチが形成されたことを特徴とする，請求項３９または４０に記載のプラズマディスプレイパネル。
【請求項４２】
前記第１補助電極および前記第２補助電極は，抵抗性物質または金属からなることを特徴とする，請求項３６〜４１のいずれかに記載のプラズマディスプレイパネル。
【発明の詳細な説明】
【技術分野】
【０００１】
本発明は，プラズマディスプレイパネルに関する。
【背景技術】
【０００２】
プラズマディスプレイパネル（以下，ＰＤＰ；Ｐｌａｓｍａ  Ｄｉｓｐｌａｙ  Ｐａｎｅｌ）は，電気放電を利用して画像を形成する装置であって，輝度や視野角などの表示性能に優れるので，その使用が次第に増大している。かかるＰＤＰは，電極に印加される直流または交流電圧によって電極間でガス放電を起こさせ，この放電過程で発生する紫外線によって蛍光体が励起されることにより可視光を発散する。
【０００３】
ＰＤＰは，その放電形式によって直流（Ｄｉｒｅｃｔ  Ｃｕｒｒｅｎｔ：ＤＣ）型と交流（Ａｌｔｅｒｎａｔｉｎｇ  Ｃｕｒｒｅｎｔ：ＡＣ）型とに分類される。ＤＣ型のＰＤＰは，全ての電極が放電空間に露出される構造であって，対応する電極間で電荷の移動が直接的にされる。ＡＣ型のＰＤＰは，少なくとも一つの電極が誘電体層で囲まれ，対応する電極間で直接的に電荷の移動がされない代わりに，壁電荷によって放電が行われる。
【０００４】
また，ＰＤＰは，電極の配置構造によって対向放電型と面放電型とに分類される。対向放電型のＰＤＰは，対をなす二つの維持電極がそれぞれ上部基板と下部基板とに配置された構造であって，放電が基板に垂直な方向に起きる。面放電型のＰＤＰは，対をなす二つの維持電極が同一の基板上に配置された構造であって，放電が基板に平行な方向に起きる。
【０００５】
対向放電型のＰＤＰは，発光効率が高い一方，プラズマによって蛍光体層が劣化されやすいという短所があるため，近年，面放電型のＰＤＰが主流をなしている。
【０００６】
図１は，従来の一般的な面放電型のＰＤＰを示す図面である。そして，図２Ａおよび図２Ｂは，それぞれ図１に示したＰＤＰを横方向および縦方向にカットした断面図である。
【０００７】
図１，図２Ａおよび図２Ｂに示すように，従来のＰＤＰは，所定の間隔で互いに対向する下部基板１０と上部基板２０とを備える。下部基板１０と上部基板２０との間の空間は，プラズマ放電が起きる放電空間となる。
【０００８】
下部基板１０の上面には，複数のアドレス電極１１が形成されており，このアドレス電極１１は，第１誘電体層１２に埋め込まれている。第１誘電体層１２の上面には，放電空間を区画して放電セル３０を形成し，この放電セル３０間の電気的，光学的干渉を防止する複数の隔壁３５が互いに所定の間隔をおいて形成される。放電セル３０の内部には，たとえばネオン（Ｎｅ）ガスとキセノン（Ｘｅ）ガスとが混合された放電ガスが充填される。そして，放電セル３０の内壁をなす第１誘電体層１２の上面および隔壁３５の側面には，蛍光体層１５が所定厚さで塗布される。
【０００９】
上部基板２０は，可視光が透過可能な透明基板であって，主にガラスからなり，隔壁３５が形成された下部基板１０に結合される。上部基板２０の下面には，アドレス電極１１と直交する維持電極２１ａ，２１ｂが対をなして形成される。維持電極２１ａ，２１ｂは，可視光が透過可能なように，主にＩＴＯ（Ｉｎｄｉｕｍ  Ｔｉｎ  Ｏｘｉｄｅ）のような透明な導電性材料からなる。そして，維持電極２１ａ，２１ｂのライン抵抗を減らすために，維持電極２１ａ，２１ｂそれぞれの下面には，金属材質からなるバス電極２２ａ，２２ｂが形成されており，その幅は，維持電極２１ａ，２１ｂより狭い。かかる維持電極２１ａ，２１ｂおよびバス電極２２ａ，２２ｂは，透明な第２誘電体層２３に埋め込まれている。第２誘電体層２３の下面には，保護膜２４が形成される。保護膜２４は，プラズマ粒子のスパッタリングによる第２誘電体層２３の損傷を防止し，２次電子を放出して放電電圧を低下させる機能を有する。保護膜は，たとえばＭｇＯからなる。
【発明の開示】
【発明が解決しようとする課題】
【００１０】
しかし，上記のような構造のＰＤＰでは，Ｘｅガスの分圧を高めれば，発光効率を向上させるが，放電電圧が上昇するという問題点がある。また，維持電極間の間隔を広げて放電経路を長くすれば，発光効率を向上させるが，この場合にも放電電圧が上昇するという問題点がある。
【００１１】
そこで，本発明は，上記問題を鑑みてなされたものであり，本発明の目的とするところは，放電電圧を低下させつつ，発光効率を向上させることが可能な，新規かつ改良されたプラズマディスプレイパネルを提供するところにある。
【課題を解決するための手段】
【００１２】
上記課題を解決するために，本発明のある観点によれば，所定の間隔で互いに対向配置される下部基板および上部基板と；上記下部基板と上記上部基板との間に設けられ，上記下部基板と上記上部基板との間に形成された放電空間を区画して複数の放電セルを形成する複数の隔壁と；上記下部基板に形成された複数のアドレス電極と；上記アドレス電極を覆うように形成された第１誘電体層と；上記放電セルの内壁に形成された蛍光体層と；上記上部基板に，上記放電セルごとに一対となって形成された第１維持電極および第２維持電極と；上記上部基板に，上記第１維持電極および上記第２維持電極にそれぞれ対応して形成され，上記第１維持電極および上記第２維持電極に電圧が印加されることによって電圧が誘導される第１補助電極および第２補助電極と；を備え，上記第１補助電極および上記第２補助電極は，抵抗性物質からなることを特徴とする，プラズマディスプレイパネルが提供される。
【００１３】
かかる構成において，第１補助電極および第２補助電極は，それぞれ第１維持電極および第２維持電極に対応して形成されるものであって，第１維持電極および第２維持電極に電圧が印加されることによって電圧が誘導されるフローティング電極である。すなわち，第１維持電極および第２維持電極に外部から電圧が印加されれば，第１補助電極および第２補助電極には，第１維持電極および第２維持電極に印加された電圧より低い所定の電圧が誘導される。また，第１補助電極および第２補助電極が抵抗性物質からなる場合には，非抵抗性物質からなる場合より放電経路が実質的に長くなるので，発光効率が向上する。
【００１４】
上記第１補助電極および上記第２補助電極は，上記第１維持電極および上記第２維持電極の上部に形成されてもよい。
【００１５】
上記第１補助電極と上記第２補助電極との間隔は，上記第１維持電極と上記第２維持電極との間隔より狭いとしてもよい。かかる構成において，放電が起きる第１補助電極と第２補助電極との間隔は狭いので，放電電圧を低下させることができる。
【００１６】
上記第１補助電極および上記第２補助電極と上記第１維持電極および上記第２維持電極との間には，第２誘電体層が形成され，上記第２誘電体層上には，上記第１維持電極および上記第２維持電極を覆うように第３誘電体層が形成され，上記第３誘電体層の表面には，保護膜が形成されてもよい。かかる構成において，保護膜は，プラズマ粒子のスパッタリングによる第３誘電体層の損傷を防止し，二次電子を放出して放電電圧を低下させる機能を有する。
【００１７】
上記第１補助電極と上記第２補助電極との間に位置する上記第２誘電体層および上記第３誘電体層には，トレンチが形成されてもよい。かかる構成により，トレンチの内部でも電界が形成されるので，発光効率がさらに向上する。
【００１８】
上記第１補助電極および上記第２補助電極は，透明な抵抗性物質からなるとしてもよい。
かかる構成により，放電セルで発生した可視光が上部基板を透過可能となる。また，第１補助電極および第２補助電極が抵抗性物質からなるため，非抵抗性物質からなる場合より放電経路が実質的に長くなるので，発光効率が向上する。
【００１９】
上記第１補助電極および上記第２補助電極は，ＩＴＯまたはＳｎＯ２からなるとしてもよい。かかる構成において，ＩＴＯやＳｎＯ２は透明な抵抗性物質からなるので，放電セルで発生した可視光が上部基板を透過可能となる。また，第１補助電極および第２補助電極が抵抗性物質からなるため，非抵抗性物質からなる場合より放電経路が実質的に長くなるので，発光効率が向上する。
【００２０】
また，上記課題を解決するために，本発明の別の観点によれば，所定の間隔で互いに対向配置される下部基板および上部基板と；上記下部基板と上記上部基板との間に設けられ，上記下部基板と上記上部基板との間に形成された放電空間を区画して複数の放電セルを形成する複数の隔壁と；上記下部基板と上記上部基板のうちいずれか一つの基板に形成された複数のアドレス電極と；上記アドレス電極を覆うように形成された第１誘電体層と；上記放電セルの内壁に形成された蛍光体層と；上記下部基板に，上記放電セルごとに一対となって形成された第１維持電極および第２維持電極と；上記下部基板に，上記第１維持電極および上記第２維持電極にそれぞれ対応して形成され，上記第１維持電極および上記第２維持電極に電圧が印加されることによって電圧が誘導される第１補助電極および第２補助電極と；を備え，上記第１補助電極および上記第２補助電極は，抵抗性物質からなることを特徴とする，プラズマディスプレイパネルが提供される。
【００２１】
かかる構成において，第１補助電極および第２補助電極は，それぞれ第１維持電極および第２維持電極に対応して形成されるものであって，第１維持電極および第２維持電極に電圧が印加されることによって電圧が誘導されるフローティング電極である。すなわち，第１維持電極および第２維持電極に外部から電圧が印加されれば，第１補助電極および第２補助電極には，第１維持電極および第２維持電極に印加された電圧より低い所定の電圧が誘導される。また，第１補助電極および第２補助電極が抵抗性物質からなる場合には，非抵抗性物質からなる場合より放電経路が実質的に長くなるので，発光効率が向上する。
【００２２】
前記第１補助電極および前記第２補助電極は，前記第１維持電極および前記第２維持電極の下部に形成されてもよい。
【００２３】
上記第１補助電極と上記第２補助電極との間隔は，上記第１維持電極と上記第２維持電極との間隔より狭いとしてもよい。かかる構成において，放電が起きる第１補助電極と第２補助電極との間隔は狭いので，放電電圧を低下させることができる。
【００２４】
上記第１補助電極および上記第２補助電極と上記第１維持電極および上記第２維持電極との間には，第２誘電体層が形成され，上記第２誘電体層上には，上記第１維持電極および上記第２維持電極を覆うように第３誘電体層が形成され，上記第３誘電体層の表面には，保護膜が形成されてもよい。かかる構成において，保護膜は，プラズマ粒子のスパッタリングによる第３誘電体層の損傷を防止し，二次電子を放出して放電電圧を低下させる機能を有する。
【００２５】
上記第１補助電極と上記第２補助電極との間に位置する上記第２誘電体層および上記第３誘電体層には，トレンチが形成されてもよい。かかる構成により，トレンチの内部でも電界が形成されるので，発光効率がさらに向上する。
【００２６】
また，上記課題を解決するために，本発明の別の観点によれば，所定の間隔で互いに対向配置される下部基板および上部基板と；上記下部基板と上記上部基板との間に設けられ，上記下部基板と上記上部基板との間に形成された放電空間を区画して複数の放電セルを形成する複数の隔壁と；上記下部基板に形成された複数のアドレス電極と；上記アドレス電極を覆うように形成された第１誘電体層と；上記放電セルの内壁に形成された蛍光体層と；上記上部基板に，上記放電セルごとに一対となって形成された第１維持電極および第２維持電極と；上記上部基板に上記第１維持電極に対応して形成され，上記第１維持電極に電圧が印加されることによって電圧が誘導される補助電極と；を備えることを特徴とする，プラズマディスプレイパネルが提供される。
【００２７】
かかる構成において，補助電極は，第１維持電極に対応して形成されるものであって，第１維持電極に電圧が印加されることによって電圧が誘導されるフローティング電極である。すなわち，第１維持電極および第２維持電極に外部から電圧が印加されれば，補助電極には，所定の電圧が誘導される。
【００２８】
上記第１維持電極は表示電極であり，上記第２維持電極は走査電極であるとしてもよい。
【００２９】
上記補助電極は，上記第１維持電極の上部に形成されてもよい。
【００３０】
上記補助電極と上記第２維持電極との間隔は，上記第１維持電極と上記第２維持電極との間隔より狭いとしてもよい。かかる構成において，先に放電が起きる補助電極と第２維持電極との間隔は狭いので，放電電圧を低下させることができる。
【００３１】
上記補助電極と上記第１維持電極および上記第２維持電極との間には，第２誘電体層が形成され，上記第２誘電体層上には，上記第１維持電極および上記第２維持電極を覆うように第３誘電体層が形成され，上記第３誘電体層の表面には，保護膜が形成されてもよい。かかる構成において，保護膜は，プラズマ粒子のスパッタリングによる第３誘電体層の損傷を防止し，二次電子を放出して放電電圧を低下させる機能を有する。
【００３２】
上記補助電極と上記第２維持電極との間に位置する上記第２誘電体層および上記第３誘電体層には，トレンチが形成されてもよい。かかる構成により，トレンチの内部でも電界が形成されるので，発光効率がさらに向上する。かかる構成により，トレンチの内部でも電界が形成されるので，発光効率がさらに向上する。
【００３３】
上記補助電極は，抵抗性物質または金属からなるとしてもよい。かかる構成により，補助電極が抵抗性物質からなるため，非抵抗性物質からなる場合より放電経路が実質的に長くなるので，発光効率が向上する。
【００３４】
上記補助電極は，透明な抵抗性物質からなるとしてもよい。かかる構成により，放電セルで発生した可視光が上部基板を透過可能となる。また，補助電極が抵抗性物質からなるため，非抵抗性物質からなる場合より放電経路が実質的に長くなるので，発光効率が向上する。
【００３５】
また，上記課題を解決するために，本発明の別の観点によれば，所定の間隔で互いに対向配置される下部基板および上部基板と；上記下部基板と上記上部基板との間に設けられ，上記下部基板と上記上部基板との間に形成された放電空間を区画して複数の放電セルを形成する複数の隔壁と；上記下部基板と上記上部基板のうちいずれか一つの基板に形成された複数のアドレス電極と；上記アドレス電極を覆うように形成された第１誘電体層と；上記放電セルの内壁に形成された蛍光体層と；上記下部基板に，上記放電セルごとに一対となって形成された第１維持電極および第２維持電極と；上記下部基板に上記第１維持電極に対応して形成され，上記第１維持電極に電圧が印加されることによって電圧が誘導される補助電極と；を備えることを特徴とする，プラズマディスプレイパネルが提供される。
【００３６】
かかる構成において，補助電極は，第１維持電極に対応して形成されるものであって，第１維持電極に電圧が印加されることによって電圧が誘導されるフローティング電極である。すなわち，第１維持電極および第２維持電極に外部から電圧が印加されれば，補助電極には，所定の電圧が誘導される。
【００３７】
上記第１維持電極は表示電極であり，上記第２維持電極は走査電極であるとしてもよい。
【００３８】
上記補助電極は，上記第１維持電極の下部に形成されてもよい。
【００３９】
上記補助電極と上記第２維持電極との間隔は，上記第１維持電極と上記第２維持電極との間隔より狭いとしてもよい。かかる構成において，先に放電が起きる補助電極と第２維持電極との間隔は狭いので，放電電圧を低下させることができる。
【００４０】
上記補助電極と上記第１維持電極および上記第２維持電極との間には，第２誘電体層が形成され，上記第２誘電体層上には，上記第１維持電極および上記第２維持電極を覆うように第３誘電体層が形成され，上記第３誘電体層の表面には，保護膜が形成されてもよい。かかる構成において，保護膜は，プラズマ粒子のスパッタリングによる第３誘電体層の損傷を防止し，二次電子を放出して放電電圧を低下させる機能を有する。
【００４１】
上記補助電極と上記第２維持電極との間に位置する上記第２誘電体層および上記第３誘電体層には，トレンチが形成されてもよい。かかる構成により，トレンチの内部でも電界が形成されるので，発光効率がさらに向上する。かかる構成により，トレンチの内部でも電界が形成されるので，発光効率がさらに向上する。
【００４２】
上記補助電極は，抵抗性物質または金属からなるとしてもよい。かかる構成により，補助電極が抵抗性物質からなるため，非抵抗性物質からなる場合より放電経路が実質的に長くなるので，発光効率が向上する。
【００４３】
また，上記課題を解決するために，本発明の別の観点によれば，所定の間隔で互いに対向配置される下部基板および上部基板と；上記下部基板と上記上部基板との間に設けられ，上記下部基板と上記上部基板との間に形成された放電空間を区画して複数の放電セルを形成する複数の隔壁と；上記下部基板に形成された複数のアドレス電極と；上記アドレス電極を覆うように形成された第１誘電体層と；上記放電セルの内壁に形成された蛍光体層と；上記上部基板に，上記放電セルごとに一対となって形成された第１維持電極および第２維持電極と；上記上部基板に，上記第１維持電極および上記第２維持電極にそれぞれ対応して形成され，上記第１維持電極および上記第２維持電極に電圧が印加されることによって電圧が誘導される第１補助電極および第２補助電極と；上記下部基板と上記上部基板との間に，上記放電セルごとに互いに対向して一対となって形成され，上記第１補助電極および上記第２補助電極にそれぞれ電気的に連結された第３補助電極および第４補助電極と；を備えることを特徴とする，プラズマディスプレイパネルが提供される。
【００４４】
かかる構成において，第１補助電極および第２補助電極は，それぞれ第１維持電極および第２維持電極に対応して形成されるものであって，第１維持電極および第２維持電極に電圧が印加されることによって電圧が誘導されるフローティング電極である。すなわち，第１維持電極および第２維持電極に外部から電圧が印加されれば，第１補助電極および第２補助電極には，第１維持電極および第２維持電極に印加された電圧より低い所定の電圧が誘導される。また，第１補助電極および第２補助電極が抵抗性物質からなる場合には，非抵抗性物質からなる場合より放電経路が実質的に長くなるので，発光効率が向上する。第１補助電極と第２補助電極との間には面放電が起きる。このとき，第３補助電極および第４補助電極は，第１補助電極および第２補助電極と電気的に連結されるので，第３補助電極と第４補助電極との間には，放電経路の長い対向放電が起きる。その結果，上述した実施形態より発光効率がさらに向上する。
【００４５】
上記第１補助電極および上記第２補助電極は，上記第１維持電極および上記第２維持電極の上部に形成されてもよい。
【００４６】
上記第１補助電極と上記第２補助電極との間隔は，上記第１維持電極と上記第２維持電極との間隔より狭いとしてもよい。かかる構成において，放電が起きる第１補助電極と第２補助電極との間隔は狭いので，放電電圧を低下させることができる。
【００４７】
上記第１補助電極および上記第２補助電極と上記第１維持電極および上記第２維持電極との間には，第２誘電体層が形成され，上記第２誘電体層上には，上記第１維持電極および上記第２維持電極を覆うように第３誘電体層が形成され，上記第３誘電体層の表面には，保護膜が形成されてもよい。かかる構成において，保護膜は，プラズマ粒子のスパッタリングによる第３誘電体層の損傷を防止し，二次電子を放出して放電電圧を低下させる機能を有する。
【００４８】
上記第３補助電極および上記第４補助電極の表面には，第４誘電体層が形成され，上記第４誘電体層の表面には，上記保護膜が形成されてもよい。かかる構成において，保護膜は，プラズマ粒子のスパッタリングによる第４誘電体層の損傷を防止し，二次電子を放出して放電電圧を低下させる機能を有する。
【００４９】
上記第１補助電極と上記第２補助電極との間に位置する上記第２誘電体層および上記第３誘電体層には，トレンチが形成されてよい。かかる構成により，トレンチの内部でも電界が形成されるので，発光効率がさらに向上する。
【００５０】
上記第１補助電極および上記第２補助電極は，抵抗性物質または金属からなるとしてもよい。かかる構成により，補助電極が抵抗性物質からなるため，非抵抗性物質からなる場合より放電経路が実質的に長くなるので，発光効率が向上する。
【００５１】
上記第１補助電極および上記第２補助電極は，透明な抵抗性物質からなるとしてもよい。かかる構成により，放電セルで発生した可視光が上部基板を透過可能となる。また，補助電極が抵抗性物質からなるため，非抵抗性物質からなる場合より放電経路が実質的に長くなるので，発光効率が向上する。
【００５２】
また，上記課題を解決するために，本発明の別の観点によれば，所定の間隔で互いに対向配置される下部基板および上部基板と；上記下部基板と上記上部基板との間に設けられ，上記下部基板と上記上部基板との間に形成された放電空間を区画して複数の放電セルを形成する複数の隔壁と；上記下部基板と上記上部基板のうちいずれか一つの基板に形成された複数のアドレス電極と；上記アドレス電極を覆うように形成された第１誘電体層と；上記放電セルの内壁に形成された蛍光体層と；上記下部基板に，上記放電セルごとに一対となって形成された第１維持電極および第２維持電極と；上記下部基板に上記第１維持電極および上記第２維持電極にそれぞれ対応して形成され，上記第１維持電極および上記第２維持電極に電圧が印加されることによって電圧が誘導される第１補助電極および第２補助電極と；上記下部基板と上記上部基板との間に，上記放電セルごとに互いに対向して一対となって形成され，上記第１補助電極および上記第２補助電極にそれぞれ電気的に連結された第３補助電極および第４補助電極と；を備えることを特徴とする，プラズマディスプレイパネルが提供される。
【００５３】
かかる構成において，第１補助電極および第２補助電極は，それぞれ第１維持電極および第２維持電極に対応して形成されるものであって，第１維持電極および第２維持電極に電圧が印加されることによって電圧が誘導されるフローティング電極である。すなわち，第１維持電極および第２維持電極に外部から電圧が印加されれば，第１補助電極および第２補助電極には，第１維持電極および第２維持電極に印加された電圧より低い所定の電圧が誘導される。また，第１補助電極および第２補助電極が抵抗性物質からなる場合には，非抵抗性物質からなる場合より放電経路が実質的に長くなるので，発光効率が向上する。第１補助電極と第２補助電極との間には面放電が起きる。このとき，第３補助電極および第４補助電極は，第１補助電極および第２補助電極と電気的に連結されるので，第３補助電極と第４補助電極との間には，放電経路の長い対向放電が起きる。その結果，上述した実施形態より発光効率がさらに向上する。
【００５４】
上記第１補助電極および上記第２補助電極は，上記第１維持電極および上記第２維持電極の下部に形成されてもよい。
【００５５】
上記第１補助電極と上記第２補助電極との間隔は，上記第１維持電極と上記第２維持電極との間隔より狭いとしてもよい。かかる構成において，放電が起きる第１補助電極と第２補助電極との間隔は狭いので，放電電圧を低下させることができる。
【００５６】
上記第１補助電極および上記第２補助電極と上記第１維持電極および上記第２維持電極との間には，第２誘電体層が形成され，上記第２誘電体層上には，上記第１維持電極および上記第２維持電極を覆うように第３誘電体層が形成され，上記第３誘電体層の表面には，保護膜が形成されてもよい。
【００５７】
上記第３補助電極および上記第４補助電極の表面には，第４誘電体層が形成され，上記第４誘電体層の表面には，上記保護膜が形成されてもよい。かかる構成において，保護膜は，プラズマ粒子のスパッタリングによる第４誘電体層の損傷を防止し，二次電子を放出して放電電圧を低下させる機能を有する。
【００５８】
上記第１補助電極と上記第２補助電極との間に位置する上記第２誘電体層および上記第３誘電体層には，トレンチが形成されてもよい。かかる構成により，トレンチの内部でも電界が形成されるので，発光効率がさらに向上する。
【００５９】
上記第１補助電極および上記第２補助電極は，抵抗性物質または金属からなるとしてもよい。かかる構成により，補助電極が抵抗性物質からなるため，非抵抗性物質からなる場合より放電経路が実質的に長くなるので，発光効率が向上する。
【発明の効果】
【００６０】
以上説明したように，本発明によれば，放電電圧を低下させつつ，発光効率を向上させることができる。
【発明を実施するための最良の形態】
【００６１】
以下に添付図面を参照しながら，本発明の好適な実施の形態について詳細に説明する。なお，本明細書及びおよび図面において，実質的に同一の機能構成を有する構成要素については，同一の符号を付することにより重複説明を省略する。
【００６２】
（第１の実施形態）
図３Ａおよび図３Ｂは，本発明の第１の実施形態にかかる反射型のＰＤＰを横方向および縦方向にカットした断面図である。
【００６３】
図３Ａおよび図３Ｂに示すように，下部基板１１０および上部基板１２０が所定の間隔で互いに対向に配置され，その間に放電空間が形成される。ここで，下部基板１１０および上部基板１２０は，たとえばガラス基板からなる。
【００６４】
下部基板１１０の上面には，複数のアドレス電極１１１が形成されており，かかるアドレス電極１１１は，第１誘電体層１１２に埋め込まれる。第１誘電体層１１２の上面には，放電空間を区画して複数の放電セル１３０を形成する複数の隔壁１３５が，所定の間隔をおいてアドレス電極１１１と平行な方向に形成される。かかる隔壁１３５は，隣接する放電セル１３０間の電気的，光学的干渉を防止する機能を有する。放電セル１３０の内部には，プラズマ放電によって紫外線を発生させる放電ガスが充填される。そして，放電セル１３０の内壁をなす第１誘電体層１１２の上面および隔壁１３５の側面には，紫外線によって励起されて可視光を発生させる蛍光体層１１５が所定厚さで塗布される。一方，下部基板１１０には，放電セル１３０で発生した可視光を上部基板１２０側に反射させる反射層（図示せず）が形成される。
【００６５】
上部基板１２０の下面には，放電セル１３０ごとに第１補助電極１２２ａおよび第２補助電極１２２ｂが対に形成されており，かかる第１補助電極１２２ａおよび第２補助電極１２２ｂは，第２誘電体層１２３に埋め込まれる。ここで，第１補助電極１２２ａおよび第２補助電極１２２ｂは，アドレス電極１１１に直交する方向に形成される。そして，第２誘電体層１２３の下面には，放電セル１３０ごとに第１維持電極１２１ａおよび第２維持電極１２１ｂが対に形成されており，かかる第１維持電極１２１ａおよび第２維持電極１２１ｂは，第３誘電体層１２５に埋め込まれる。ここで，第１維持電極１２１ａおよび第２維持電極１２１ｂは，アドレス電極１１１に直交する方向に形成される。
【００６６】
第１維持電極１２１ａおよび第２維持電極１２１ｂは，外部から電圧が印加される電極である。ここで，第１維持電極１２１ａは，表示電極のＸ電極であり，第２維持電極１２１ｂは，走査電極のＹ電極である。第１維持電極１２１ａおよび第２維持電極１２１ｂは，たとえば非抵抗性物質であるＡｇのような金属からなる。
【００６７】
第１補助電極１２２ａおよび第２補助電極１２２ｂは，それぞれ第１維持電極１２１ａおよび第２維持電極１２１ｂに対応して形成されるものであって，第１維持電極１２１ａおよび第２維持電極１２１ｂに電圧が印加されることによって電圧が誘導されるフローティング電極である。すなわち，第１維持電極１２１ａおよび第２維持電極１２１ｂに外部から電圧が印加されれば，第１補助電極１２２ａおよび第２補助電極１２２ｂには，第２誘電体層１２３による電圧降下によって，第１維持電極１２１ａおよび第２維持電極１２１ｂに印加された電圧より低い所定の電圧が誘導される。ここで，第１補助電極１２２ａおよび第２補助電極１２２ｂに誘導される電圧は，第２誘電体層１２３の厚さや誘電率によって調整可能である。
【００６８】
第１補助電極１２２ａおよび第２補助電極１２２ｂの幅は，それぞれ第１維持電極１２１ａおよび第２維持電極１２１ｂの幅より広く形成される。そして，第１補助電極１２２ａと第２補助電極１２２ｂとの間隔は，第１維持電極１２１ａと上記第２維持電極１２１ｂとの間隔より狭い。一方，第１維持電極１２１ａおよび第２維持電極１２１ｂと第１補助電極１２２ａおよび第２補助電極１２２ｂとの幅や位置は，設計条件によって変更可能である。
【００６９】
第１補助電極１２２ａおよび第２補助電極１２２ｂは，抵抗性物質からなる。ここで，第１補助電極１２２ａおよび第２補助電極１２２ｂは，放電セル１３０で発生した可視光が上部基板１２０を透過可能なように，ＩＴＯまたはＳｎＯ２のような透明な抵抗性物質からなることが望ましい。このように，第１補助電極１２２ａおよび第２補助電極１２２ｂが抵抗性物質からなる場合には，非抵抗性物質からなる場合より放電経路が実質的に長くなるので，発光効率が向上する。
【００７０】
第３誘電体層１２５の表面には，保護膜１２４が形成される。保護膜１２４は，プラズマ粒子のスパッタリングによる第３誘電体層１２５の損傷を防止し，二次電子を放出して放電電圧を低下させる機能を有するものであって，たとえばＭｇＯからなる。
【００７１】
上記のような構造のＰＤＰで，外部から第１維持電極１２１ａおよび第２維持電極１２１ｂにそれぞれ電圧が印加されれば，第１補助電極１２２ａおよび第２補助電極１２２ｂにそれぞれ所定の電圧が誘導されて，その間に面放電が起きる。このとき，放電が起きる第１補助電極１２２ａと第２補助電極１２２ｂとの間隔が従来のＰＤＰより狭いので，放電電圧を低下させることができる。また，第１補助電極１２２ａおよび第２補助電極１２２ｂは，抵抗性物質からなるので，放電中は放電経路が長くなり，発光効率が向上する。
【００７２】
図４は，本発明の第１の実施形態にかかる反射型のＰＤＰの変形例を示す図面である。図４に示すように，第１補助電極１２２ａと第２補助電極１２２ｂとの間に位置する第２誘電体層１２３および第３誘電体層１２５には，所定形状のトレンチ１４０が第１補助電極１２２ａおよび第２補助電極１２２ｂに平行な方向に形成される。このように，第２誘電体層１２３および第３誘電体層１２５にトレンチ１４０を形成すれば，トレンチ１４０の内部でも電界が形成されるので，発光効率がさらに向上する。
【００７３】
（第２の実施形態）
一方，本発明の実施形態は，上記の反射型のＰＤＰだけでなく，透過型のＰＤＰにも適用されうる。
【００７４】
図５Ａおよび図５Ｂは，本発明の第２の実施形態にかかる透過型のＰＤＰを横方向および縦方向にカットした断面図である。
【００７５】
図５Ａおよび図５Ｂに示すように，下部基板２１０および上部基板２２０が所定の間隔で互いに対向に配置され，その間に放電空間が形成される。上部基板２２０の下面には，複数のアドレス電極２２１が形成されており，アドレス電極２２１は，第１誘電体層２２２に埋め込まれる。アドレス電極２２１は，放電によって発生した可視光が上部基板２２０を透過するように透明な導電性物質からなることが望ましい。一方，アドレス電極２２１は，下部基板２１０に形成されることもある。
【００７６】
第１誘電体層２２２の下面には，放電空間を区画して複数の放電セル２３０を形成する複数の隔壁２３５が形成される。そして，放電セル２３０の内壁をなす第１誘電体層２２２の下面および隔壁２３５の側面には，蛍光体層２２５が所定厚さで塗布される。
【００７７】
下部基板２１０の上面には，放電セル２３０ごとに第１補助電極２１２ａおよび第２補助電極２１２ｂが対に形成されており，かかる第１補助電極２１２ａおよび第２補助電極２１２ｂは，第２誘電体層２１３に埋め込まれる。そして，第２誘電体層２１３の上面には，放電セル２３０ごとに第１維持電極２１１ａおよび第２維持電極２１１ｂが対に形成されており，かかる第１維持電極２１１ａおよび第２維持電極２１１ｂは，第３誘電体層２１５に埋め込まれる。そして，第３誘電体層２１５の表面には，保護膜２１４が形成される。
【００７８】
上述したように，第１維持電極２１１ａおよび第２維持電極２１１ｂは，外部から電圧が印加される電極であり，第１補助電極２１２ａおよび第２補助電極２１２ｂは，それぞれ第１維持電極２１１ａおよび第２維持電極２１１ｂに電圧が印加されることによって電圧が誘導されるフローティング電極である。ここで，第１補助電極２１２ａおよび第２補助電極２１２ｂの幅は，それぞれ第１維持電極２１１ａおよび第２維持電極２１１ｂの幅より広く形成される。そして，第１補助電極２１２ａと第２補助電極２１２ｂとの間隔は，第１維持電極２１１ａと第２維持電極２１１ｂとの間隔より狭い。
【００７９】
第１補助電極２１２ａおよび第２補助電極２１２ｂは，抵抗性物質からなる。第１補助電極２１２ａおよび第２補助電極２１２ｂは，ＩＴＯ，ＳｎＯ２のような物質からなる。上述したように，第１補助電極２１２ａおよび第２補助電極２１２ｂが抵抗性物質からなる場合には，非抵抗性物質からなる場合より放電経路が実質的に長くなるので，発光効率が向上する。
【００８０】
そして，第１補助電極２１２ａと第２補助電極２１２ｂとの間に位置する第２誘電体層２１３および第３誘電体層２１５には，所定形状のトレンチ（図示せず）が形成されることもある。
【００８１】
（第３の実施形態）
図６Ａおよび図６Ｂは，本発明の第３の実施形態にかかる反射型のＰＤＰを横方向および縦方向にカットした断面図である。
【００８２】
図６Ａおよび図６Ｂに示すように，下部基板３１０および上部基板３２０が所定の間隔で互いに対向に配置され，その間に放電空間が形成される。下部基板３２０の上面には，複数のアドレス電極３１１が形成されており，アドレス電極３１１は，第１誘電体層３１２に埋め込まれる。第１誘電体層３１２の上面には，放電空間を区画して複数の放電セル３３０を形成する複数の隔壁３３５が形成される。そして，放電セル３３０の内壁をなす第１誘電体層３１２の上面および隔壁３３５の側面には，蛍光体層３１５が所定厚さで塗布される。下部基板３１０には，放電セル３３０で発生した可視光を上部基板３２０側に反射させる反射層（図示せず）が形成される。
【００８３】
上部基板３２０の下面には，放電セル３３０ごとに補助電極３２２ａが形成されており，かかる補助電極３２２ａは，第２誘電体層３２３に埋め込まれる。ここで，補助電極３２２ａは，アドレス電極３１１に直交する方向に形成される。そして，第２誘電体層３２３の下面には，放電セル３３０ごとに第１維持電極３２１ａおよび第２維持電極３２１ｂが対に形成されており，かかる第１維持電極３２１ａおよび第２維持電極３２１ｂは，第３誘電体層３２５に埋め込まれる。ここで，第１維持電極３２１ａおよび第２維持電極３２１ｂは，アドレス電極３１１に直交する方向に形成される。
【００８４】
第１維持電極３２１ａおよび第２維持電極３２１ｂは，外部から電圧が印加される電極である。ここで，第１維持電極３２１ａは，表示電極のＸ電極であり，第２維持電極３２１ｂは，走査電極のＹ電極である。第１維持電極３２１ａおよび上記第２維持電極３２１ｂは，たとえば非抵抗性物質であるＡｇのような金属からなる。
【００８５】
補助電極３２２ａは，第１維持電極３２１ａ，すなわちＸ電極に対応して形成されるものであって，第１維持電極３２１ａに電圧が印加されることによって電圧が誘導されるフローティング電極である。このように，補助電極３２２ａが第１維持電極３２１ａおよび第２維持電極３２１ｂのうちＸ電極である第１維持電極３２１ａに対応するように形成される理由は，補助電極３２２ａがＹ電極である第２維持電極３２１ｂに対応するように形成されれば，リセット放電およびアドレス放電中に信号歪曲が発生するためである。
【００８６】
補助電極３２２ａの幅は，第１維持電極３２１ａの幅より広く形成される。そして，補助電極３２２ａと第２維持電極３２１ｂとの間隔は，第１維持電極３２１ａと第２維持電極３２１ｂとの間隔より狭い。補助電極３２２ａは，抵抗性物質からなることが望ましい。そして，補助電極３２２ａは，放電セル３３０で発生した可視光が上部基板３２０を透過可能に，ＩＴＯまたはＳｎＯ２のような透明な抵抗性物質からなることが望ましい。一方，補助電極３２２ａは，Ａｇのような金属からなることも可能である。
【００８７】
第３誘電体層３２５の表面には，保護膜３２４が形成される。そして，補助電極３２２ａと第２維持電極３２１ｂとの間に位置する第２誘電体層３２３および第３誘電体層３２５には，所定形状のトレンチ（図示せず）が形成されることもある。
【００８８】
上記のような構造のＰＤＰで，外部から第１維持電極３２１ａおよび第２維持電極３２１ｂに電圧が印加されれば，第１維持電極３２１ａに対応する補助電極３２２ａに所定の電圧が誘導され，これにより，補助電極３２２ａと第２維持電極３２１ｂとの間に先に放電が始まる。このとき，放電が起きる補助電極３２２ａと第２維持電極３２１ｂとの間隔が従来のＰＤＰより狭いので，放電電圧を低下させることができる。また，放電中には放電経路が長くなって発光効率が向上する。
【００８９】
（第４の実施形態）
図７Ａおよび図７Ｂは，本発明の第４の実施形態にかかる透過型のＰＤＰを横方向および縦方向にカットした断面図である。
【００９０】
図７Ａおよび図７Ｂに示すように，下部基板４１０および上部基板４２０が所定の間隔で互いに対向に配置され，その間に放電空間が形成される。上記上部基板４２０の下面には，複数のアドレス電極４２１が形成されており，上記アドレス電極４２１は，第１誘電体層４２２に埋め込まれる。上記アドレス電極４２１は，透明な導電性物質からなることが望ましい。一方，上記アドレス電極４２１は，下部基板４１０に形成されることもある。
【００９１】
第１誘電体層４２２の下面には，放電空間を区画して複数の放電セル４３０を形成する複数の隔壁４３５が形成される。そして，放電セル４３０の内壁をなす第１誘電体層４２２の下面および隔壁４３５の側面には，蛍光体層４２５が所定厚さで塗布される。
【００９２】
下部基板４１０の上面には，放電セル４３０ごとに補助電極４１２ａが形成されており，かかる補助電極４１２ａは，第２誘電体層４１３に埋め込まれる。そして，第２誘電体層４１３の上面には，放電セル４３０ごとに第１維持電極４１１ａおよび第２維持電極４１１ｂが対に形成されており，かかる第１維持電極４１１ａおよび第２維持電極４１１ｂは，第３誘電体層４１５に埋め込まれる。そして，第３誘電体層４１５の表面には，保護膜４１４が形成される。
【００９３】
上述したように，第１維持電極４１１ａおよび第２維持電極４１１ｂは，外部から電圧が印加される電極である。ここで，第１維持電極４１１ａは，表示電極のＸ電極であり，第２維持電極４１１ｂは，走査電極のＹ電極である。そして，補助電極４１２ａは，第１維持電極４１１ａ，すなわちＸ電極に対応して形成されるものであって，第１維持電極４１１ａに電圧が印加されることによって電圧が誘導されるフローティング電極である。
【００９４】
補助電極４１２ａの幅は，第１維持電極４１１ａの幅より広く形成される。そして，補助電極４１２ａと第２維持電極４１１ｂとの間隔は，第１維持電極４１１ａと第２維持電極４１１ｂとの間隔より狭い。ここで，補助電極４１２ａは，抵抗性物質からなることが望ましい。一方，補助電極４１２ａは，Ａｇのような金属からなることも可能である。
【００９５】
補助電極４１２ａと第２維持電極４１１ｂとの間に位置する第２誘電体層４１３および第３誘電体層４１５には，所定形状のトレンチ（図示せず）が形成されることもある。
【００９６】
（第５の実施形態）
図８Ａおよび図８Ｂは，本発明の第５の実施形態にかかる反射型のＰＤＰを横方向および縦方向にカットした断面図である。
【００９７】
図８Ａおよび図８Ｂに示すように，下部基板５１０および上部基板５２０が所定の間隔で互いに対向に配置され，その間に放電空間が形成される。下部基板５２０の上面には，複数のアドレス電極５１１が形成されており，アドレス電極５１１は，第１誘電体層５１２に埋め込まれる。第１誘電体層５１２の上面には，放電空間を区画して複数の放電セル５３０を形成する複数の隔壁５３５が形成される。そして，放電セル５３０の内壁をなす第１誘電体層５１２の上面および隔壁５３５の側面には，蛍光体層５１５が所定厚さで塗布される。下部基板５１０には，放電セル５３０で発生した可視光を上部基板５２０側に反射させる反射層（図示せず）が形成される。
【００９８】
上部基板５２０の下面には，放電セル５３０ごとに第１補助電極５２２ａおよび第２補助電極５２２ｂが対に形成されており，かかる第１補助電極５２２ａおよび第２補助電極５２２ｂは，第２誘電体層５２３に埋め込まれる。ここで，第１補助電極５２２ａおよび第２補助電極５２２ｂは，アドレス電極５１１に直交する方向に形成される。そして，第２誘電体層５２３の下面には，放電セル５３０ごとに第１維持電極５２１ａおよび第２維持電極５２１ｂが対に形成されており，かかる第１維持電極５２１ａおよび第２維持電極５２１ｂは，第３誘電体層５２５に埋め込まれる。ここで，第１維持電極５２１ａおよび第２維持電極５２１ｂは，アドレス電極５１１に直交する方向に形成される。
【００９９】
第１維持電極５２１ａおよび第２維持電極５２１ｂは，外部から電圧が印加される電極である。ここで，第１維持電極５２１ａは，表示電極のＸ電極であり，第２維持電極５２１ｂは，走査電極のＹ電極である。第１維持電極５２１ａおよび第２維持電極５２１ｂは，たとえば非抵抗性物質であるＡｇのような金属からなる。
【０１００】
第１補助電極５２２ａおよび第２補助電極５２２ｂは，それぞれ第１維持電極５２１ａおよび第２維持電極５２１ｂに対応して形成されるものであって，上記第１維持電極５２１ａおよび第２維持電極５２１ｂに電圧が印加されることによって電圧が誘導されるフローティング電極である。
【０１０１】
第１補助電極５２２ａおよび第２補助電極５２２ｂの幅は，それぞれ第１維持電極５２１ａおよび第２維持電極５２１ｂの幅より広く形成される。そして，第１補助電極５２２ａと第２補助電極５２２ｂとの間隔は，第１維持電極５２１ａと第２維持電極５２１ｂとの間隔より狭い。
【０１０２】
第１補助電極５２２ａおよび第２補助電極５２２ｂは，抵抗性物質からなることが望ましい。そして，第１補助電極５２２ａおよび第２補助電極５２２ｂは，放電セル５３０で発生した可視光が上部基板５２０を透過可能に，ＩＴＯまたはＳｎＯ２のような透明な抵抗性物質からなることが望ましい。そして，第１補助電極５２２ａと第２補助電極５２２ｂとの間に位置する第２誘電体層および第３誘電体層５２３，５２５には，所定形状のトレンチ（図示せず）が形成されることもある。
【０１０３】
一方，下部基板５１０と上部基板５２０との間には，放電セル５３０ごとに第３補助電極５３２ａおよび第４補助電極５３２ｂが互いに対向して対に形成される。ここで，第３補助電極５３２ａおよび第４補助電極５３２ｂは，それぞれ第１補助電極５２２ａおよび第２補助電極５２２ｂに電気的に連結される。第３補助電極５３２ａおよび第４補助電極５３２ｂは，第４誘電体層５３３に埋め込まれている。そして，第３誘電体層および第４誘電体層５２５，５３３の表面には，保護膜５２４が形成される。
【０１０４】
上記のような構造のＰＤＰで，外部から第１維持電極５２１ａおよび第２維持電極５２１ｂにそれぞれ電圧が印加されれば，第１補助電極５２２ａおよび第２補助電極５２２ｂにそれぞれ所定の電圧が誘導され，その間に面放電が起きる。このとき，第３補助電極５３２ａおよび第４補助電極５３２ｂは，第１補助電極５２２ａおよび第２補助電極５２２ｂと電気的に連結されるので，第３補助電極５３２ａと第４補助電極５３２ｂとの間には，放電経路の長い対向放電が起きる。その結果，上述した実施形態より発光効率がさらに向上する。
【０１０５】
（第６の実施形態）
図９Ａおよび図９Ｂは，本発明の第６の実施形態にかかる透過型のＰＤＰを横方向および縦方向にカットした断面図である。
【０１０６】
図９Ａおよび図９Ｂに示すように，下部基板６１０および上部基板６２０が所定の間隔で互いに対向に配置され，その間に放電空間を形成する。上部基板６２０の下面には，複数のアドレス電極６２１が形成されており，アドレス電極６２１は，第１誘電体層６２２に埋め込まれる。アドレス電極６２１は，透明な導電性物質からなることが望ましい。一方，アドレス電極６２１は，下部基板６１０に形成されることもある。
【０１０７】
第１誘電体層６２２の下面には，放電空間を区画して複数の放電セル６３０を形成する複数の隔壁６３５が形成される。そして，放電セル６３０の内壁をなす第１誘電体層６２２の下面および隔壁６３５の側面には，蛍光体層６２５が所定厚さで塗布される。
【０１０８】
下部基板６１０の上面には，放電セル６３０ごとに第１補助電極６１２ａおよび第２補助電極６１２ｂが対に形成されており，かかる第１補助電極６１２ａおよび第２補助電極６１２ｂは，第２誘電体層６１３に埋め込まれる。そして，第２誘電体層６１３の上面には，放電セル６３０ごとに第１維持電極６１１ａおよび第２維持電極６１１ｂが対に形成されており，かかる第１維持電極６１１ａおよび第２維持電極６１１ｂは，第３誘電体層６１５に埋め込まれる。
【０１０９】
上述したように，第１維持電極６１１ａおよび第２維持電極６１１ｂは，外部から電圧が印加される電極であり，第１補助電極６１２ａおよび第２補助電極６１２ｂは，それぞれ第１維持電極６１１ａおよび第２維持電極６１１ｂに電圧が印加されることによって電圧が誘導されるフローティング電極である。ここで，第１補助電極６１２ａおよび第２補助電極６１２ｂの幅は，それぞれ第１維持電極６１１ａおよび第２維持電極６１１ｂの幅より広く形成される。そして，第１補助電極６１２ａと第２補助電極６１２ｂとの間隔は，第１維持電極６１１ａと第２維持電極６１１ｂとの間隔より狭い。ここで，第１補助電極６１２ａおよび第２補助電極６１２ｂは，抵抗性物質からなることが望ましい。一方，第１補助電極６１２ａおよび第２補助電極６１２ｂは，Ａｇのような金属からなることも可能である。そして，第１補助電極６１２ａと第２補助電極６１２ｂとの間に位置する第２誘電体層および第３誘電体層６１３，６１５には，所定形状のトレンチ（図示せず）が形成されることもある。
【０１１０】
一方，下部基板６１０と上部基板６２０との間には，放電セル６３０ごとに第３補助電極６３２ａおよび第４補助電極６３２ｂが互いに対向して対に形成される。ここで，第３補助電極６３２ａおよび第４補助電極６３２ｂは，それぞれ第１補助電極６１２ａおよび第２補助電極６１２ｂに電気的に連結される。第３補助電極６３２ａおよび第４補助電極６３２ｂは，第４誘電体層６３３に埋め込まれている。そして，第３誘電体層６１５および第４誘電体層６３３の表面には，保護膜６１４が形成される。
【０１１１】
上記の説明のとおり，本発明の実施形態にかかるＰＤＰによれば，上部基板または下部基板に，外部から維持電極に電圧が印加されることによって電圧が誘導される補助電極を設けることによって，放電電圧を低下させ，発光効率を向上させることができる。
【０１１２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１１３】
たとえば，上述した実施形態では，維持電極に電圧が印加されることによって電圧が誘導される補助電極が，維持電極の外側に形成された場合について説明したが，本発明およびその実施形態は，これに限定されず，補助電極が維持電極の内側に形成される場合にも適用できる。
【０１１４】
たとえば，上述した本発明およびその実施形態においては，上部基板，下部基板のように便宜上，上または下という表現を用いたが，上部基板を下側に向け下部基板を上側に向けて実施された場合であっも，これら上部基板または下部基板の表現にとらわれず本発明の技術的意義は変わらない。
【産業上の利用可能性】
【０１１５】
本発明は，プラズマディスプレイパネルに適用可能である。
【図面の簡単な説明】
【０１１６】
【図１】従来のＰＤＰの分離斜視図である。
【図２Ａ】図１に示したＰＤＰを横方向にカットした断面図である。
【図２Ｂ】図１に示したＰＤＰを縦方向にカットした断面図である。
【図３Ａ】本発明の第１の実施形態にかかるＰＤＰを横方向にカットした断面図である。
【図３Ｂ】同実施形態にかかるＰＤＰを縦方向にカットした断面図である。
【図４】同実施形態にかかるＰＤＰの変形例を示す断面図である。
【図５Ａ】本発明の第２の実施形態にかかるＰＤＰを横方向にカットした断面図である。
【図５Ｂ】同実施形態にかかるＰＤＰを縦方向にカットした断面図である。
【図６Ａ】本発明の第３の実施形態にかかるＰＤＰを横方向にカットした断面図である。
【図６Ｂ】同実施形態にかかるＰＤＰを縦方向にカットした断面図である。
【図７Ａ】本発明の第４の実施形態にかかるＰＤＰを横方向にカットした断面図である。
【図７Ｂ】同実施形態にかかるＰＤＰを縦方向にカットした断面図である。
【図８Ａ】本発明の第５の実施形態にかかるＰＤＰを横方向にカットした断面図である。
【図８Ｂ】同実施形態にかかるＰＤＰを縦方向にカットした断面図である。
【図９Ａ】本発明の第６の実施形態にかかるＰＤＰを横方向にカットした断面図である。
【図９Ｂ】同実施形態にかかるＰＤＰを縦方向にカットした断面図である。
【符号の説明】
【０１１７】
１０，１１０，２１０，３１０，４１０，５１０，６１０      下部基板
１１，１１１，２２１，３１１，４２１，５１１，６２１      アドレス電極
１２，１１２，２２２，３１２，４２２，５１２，６２２      第１誘電体層
１５，１１５，２２５，３１５，４２５，５１５，６２５      蛍光体層
２０，１２０，２２０，３２０，４２０，５２０，６２０      上部基板
２１ａ，２１ｂ      維持電極
１２１ａ，２１１ａ，３２１ａ，４１１ａ，５２１ａ，６１１ａ    第１維持電極
１２１ｂ，２１１ｂ，３２１ｂ，４１１ｂ，５２１ｂ，６１１ｂ    第２維持電極
１２２ａ，２１２ａ，３２２ａ，４１２ａ，５２２ａ，６１２ａ    第１補助電極
１２２ｂ，２１２ｂ，３２２ｂ，４１２ｂ，５２２ｂ，６１２ｂ    第２補助電極
２３，１２３，２１３，３２３，４１３，５２３，６１３      第２誘電体層
２４，１２４，２２４，３２４，４２４，５２４，６２４      保護膜
１２５，２１５，３２５，４１５，５２５，６１５      第３誘電体層
３０，１３０，２３０，３３０，４３０，５３０，６３０      放電セル
３５，１３５，２３５，３３５，４３５，５３５，６３５      隔壁
【図１】
2006134887.tif 000003
【図２Ａ】
2006134887.tif 000004
【図２Ｂ】
2006134887.tif 000005
【図３Ａ】
2006134887.tif 000006
【図３Ｂ】
2006134887.tif 000007
【図４】
2006134887.tif 000008
【図５Ａ】
2006134887.tif 000009
【図５Ｂ】
2006134887.tif 000010
【図６Ａ】
2006134887.tif 000011
【図６Ｂ】
2006134887.tif 000012
【図７Ａ】
2006134887.tif 000013
【図７Ｂ】
2006134887.tif 000014
【図８Ａ】
2006134887.tif 000015
【図８Ｂ】
2006134887.tif 000016
【図９Ａ】
2006134887.tif 000017
【図９Ｂ】
2006134887.tif 000018